(57)【要約】創傷を手当てするための方法及び手当て材が示されている。そのような手当て材の１つは、間隔をおいて設けられた凸部１０２の層と、層の中で画定される複数の穴１０８を具え、各凸部１０２は、創傷を治療するための薬を受入れるように形作られており、穴１０８は、創傷からの滲出液が蒸発できるように形成される。第２層１０４は、第１層１０６の上に設けられ、圧縮バンドを具える。他のそのような手当て材は、複数の層を具え、各層は、挟まれ、間隔をおいて設けられた凸部を具え、吸収性素材からなる層を交互に有する。吸収性素材からなる交互の層が、非吸収層にある穴を介して連通することで、吸収層の間を滲出液が移動することができ、滲出液を創傷から遠ざけることができる。
2016537047.tif 000002
【特許請求の範囲】
【請求項１】
間隔をおいて設けられた凸部を有する第１層を具え、前記各凸部が創傷を治療するための薬を受入れるように形作られており、
前記第１層に画定され、創傷からの滲出液が蒸発できるように形成された複数の穴と、
前記第１層の上部に設けられ、圧縮バンドを有する第２層を具えることを特徴とする、
創傷用手当て材。
【請求項２】
前記間隔をおいて設けられた凸部の外面が圧縮に抗するように硬化されている、請求項１の手当て材。
【請求項３】
前記各間隔をおいて設けられた凸部の内壁から延びる環を具え、該環が創傷からの滲出液を集めるように形成されている、請求項１の手当て材。
【請求項４】
複数の前記穴が前記間隔をおいて設けられた凸部の間に位置する、請求項１の手当て材。
【請求項５】
複数の前記穴が前記間隔をおいて設けられた凸部上に位置する、請求項１の手当て材。
【請求項６】
創傷に最も近い第１層の下に設けられた第３層を具え、該第３層が創傷からの滲出液を集める吸収性素材からなる、請求項１の手当て材。
【請求項７】
前記第１層の上に設けられた第４層を具え、該第４層が疎水性のカバー、又はシートからなる、請求項６の手当て材。
【請求項８】
前記第１層が医療用シリコーンからなる、請求項１の手当て材。
【請求項９】
創傷の最も近くにあてがうための吸収性素材からなる第１層と、
前記第１層の上に設けられた不透液性素材からなる第２層と、
前記第２層の上に設けられた吸収性素材からなる第３層と、
前記第３層の上に設けられた不透液性素材からなる第４層とを具え、
前記層のそれぞれが間隔をおいて設けられた凸部を有し、
前記第２層の間隔をおいて設けられた凸部の内壁から延びる複数の間隔をおいて設けられた環を具え、該間隔をおいて設けられた環が滲出液を集めるように形成され、
前記第２層の間隔をおいて設けられた凸部に画定される複数の穴を具え、該穴が前記第１層から第３層に滲出液を移動させるように形成されていることを特徴とする、
多層創傷手当て材。
【請求項１０】
少なくともいくつかの前記穴が前記間隔をおいて設けられた環の根本に設けられている、請求項９の手当て材。
【請求項１１】
前記第４層の上に設けられた第５層を具え、該第５層が圧縮バンドからなる、請求項９の手当て材。
【請求項１２】
前記第４層の間隔をおいて設けられた凸部に画定された複数の穴を具え、該穴が創傷からの滲出液が蒸発できるように形成されている、請求項９の手当て材。
【請求項１３】
前記第４層の間隔をおいて設けられた凸部の外面が圧縮に抗するように硬化されている、請求項９の手当て材。
【請求項１４】
前記第２層及び第４層が医療用シリコーンからなる、請求項９の手当て材。
【発明の詳細な説明】
【技術分野】
【０００１】
（関連出願の引用）
本願は、２０１３年８月２０日に出願された米国特許出願第１３／９７０，９４０号、２０１３年６月２１日に出願された米国仮特許出願第６１／９５６，９７０号、及び２０１３年８月６日に出願された米国仮特許出願第６１／９５８，５７８の利益を主張する。当該出願は、その内容全体が引用により本明細書に一体化される。
【０００２】
本発明は、全体として、創傷治療及びその治療器具の医療用途の分野に関する。
【背景技術】
【０００３】
今日、創傷には念入りな治療が施されるが、皮膚科医は常に創傷治療の処置に賛成しているわけではない。酸素及び湿った環境にさらして、創傷に呼吸をさせる必要がある。しかしながら、創傷治療のための現在の処置及び既存の創傷ケアでは、創傷を治すための必要な酸素又は十分な水分が創傷に行き届いていない。新しい手当て材及び薬を頻繁に使用することが必要であり、それは高くつくことがある。
【０００４】
創傷に水分を与える処置の例としてハイドロゲル・パッドで創傷を覆うものがある。このパッドによって創傷は湿った状態を保つことができるが、しかし、パッドには吸収力がないため、ハイドロゲル・パッドは開放性創傷を治すために十分な湿気を必ずしも与えないので、ハイドロゲル・パッドは適度に液体がしみ出る創傷にとって適切な選択でない場合がある。
【０００５】
本明細書中の実施例は、凸がある、又は凸層からなる小さな穴が開いているシートについて説明する欧州特許出願番号０８７０６１９４．１の第２部分を改良し、その範囲を広げたものである。前記特許出願は、異なる硬さの異なる素材の組合わせの医療用の滅菌処理されたシリコーンから作られたエチレン・ビニル・アセテート（ＥＶＡ）からなる層について説明する。
【発明の概要】
【０００６】
開示した１つの実施形態は創傷手当て材(wound dressing)である。創傷手当て材は間隔をおいて設けられた凸部を具える層を有する。各凸部は創傷を治療するための薬を受入れるように形作られている。創傷手当て材はまた、層中に画定される複数の穴を具える。各穴は滲出液が創傷から蒸発できるように形成される。当該層は第１層であってよく、創傷手当て材は第１層の上に設けられた第２層を具え、第２層は圧縮バンドを具える。
【０００７】
開示したもう１つの実施形態は多層創傷手当て材である。多層創傷手当て材は創傷の最も近くにあてがうための吸収性素材からなる第１層、及び第１層の上に設けられた不透液性素材からなる第２層を具える。多層創傷手当て材はまた、第２層の上に設けられた吸収性素材からなる第３層、及び第３層の上に設けられた不透液性素材からなる第４層を具える。各層は間隔をおいて設けられた凸部を具える。多層創傷手当て材はまた、第２層の間隔をおいて設けられた凸部の内壁からそれぞれ延びる間隔をおいて設けられた複数の環を具え、間隔をおいて設けられた環は滲出液を集めるように形成される。さらに、多層創傷手当て材はまた第２層の間隔をおいて設けられた凸部の中に画定される複数の穴を具え、穴は、滲出液が第１層から第３層を通過できるように形成される。
【０００８】
本発明の利点、特徴及び特性は以下の詳細な説明、及び以下図面の簡単な説明を参照して添付の請求項を考慮することにより、より明らかとなる。
【図面の簡単な説明】
【０００９】
本説明は、添付の図面を参照するものであり、各図面にわたって類似の参照番号は類似の部品を示す。
【００１０】
図１は創傷を治療及び手当てするためのパッド、すなわち、手当て材の１つの実施例である。
【００１１】
図２は図１に示された創傷を治療及び手当てするためのパッド、すなわち、手当て材の他の実施例である。
【００１２】
図３は創傷を治療及び手当てするためのパッド、すなわち、手当て材のもう１つの実施例である。
【００１３】
図４は図３に示された創傷を治療及び手当てするためのパッド、すなわち、手当て材の他の実施例である。
【００１４】
図５は図１乃至４のパッド、すなわち、手当て材のいずれかとともに用いるために形成された凸部の１つの実施例である。
【００１５】
図６は図５の凸部の他の実施例である。
【００１６】
図７は図５の凸部内で移動する蒸気と液体の経路を示す。
【００１７】
図８は図５の凸部と同様な凸部を組込む圧縮治療に用いるための手当て材の１つの実施例である。
【００１８】
図９は図８の手当て材の凸部の間隔をおいて設けられた環に沿って堆積する滲出液を示す。
【００１９】
図１０は多層パッド、すなわち、手当て材とともに用いられるように形成された凸部の１つの実施例である。
【００２０】
図１１は図１０の凸部を組込む多層手当て材の１つの実施例である。
【００２１】
図１２は図１０の凸部を組込む包まれた多層手当て材の１つの実施例である。
【００２２】
図１３A及びＢは図５、６及び１０の凸部と同様な凸部のセグメントを組込むラップ・スタイルの手当て材の１つの実施例である。
【００２３】
図１４Ａ乃至Ｆはラップ・スタイルの手当て材をあてがう一連の状態を示し、層は図５、６及び１０の凸部と同様な肢に当てられた凸部セグメントを具える。
【００２４】
図１５Ａ乃至Ｅは図１２に示される多層手当て材のような多層手当て材の一連の構造を示す。
【００２５】
図１６Ａ乃至Ｄは歩行用ブーツ、すなわち、ギプスで用いられるように形成された図１２及び図１５のＡ乃至Ｅで説明された手当て材と同様な多層手当て材を示す。
【００２６】
図１７は図１３Ａ乃至Ｂ及び図１４Ａ乃至Ｆのラップ・スタイルの手当て材とともに用いるために形成された靴下スタイルの手当て材を示す。
【００２７】
足又は脚を覆う既存の創傷手当て材及び治療は、非常に高温で、不快になり易く、患者に、必要以上に汗をかかせることになる。本開示は、例えば、部分的に医療用シリコーンでできている、改良された多穴式パッド、すなわち、手当て材の種々の実施例を説明する。パッド、すなわち、手当て材は、空気がパッド、すなわち、手当て材を通過し、創傷部分に届くことができるように設計されている。また、パッド、すなわち、手当て材は、可撓性で、人間や動物の体の不規則な形を覆うことができるように設計されている。
【００２８】
以下の実施例で説明されるパッド、すなわち、手当て材(dressing)は、バクテリアを患部から遠ざけ、患者の肌がふやけるリスクを減らしつつ、薬剤を投与し、通気性をもたらし、並びに急速に分泌物を吸収及び取込むことができる。さらに、改良されたパッド、すなわち、手当て材は、患部に治療を施すために必要な手当て材の交換回数が減るため、全体として低コストである。
【００２９】
図１は創傷を治療及び手当するためのパッド、すなわち、手当て材１００の１つの実施例である。創傷の多くのタイプは、本実施例及び以下の他の実施例で説明されるパッド、すなわち、手当て材１００で治療することができる。例えば、水ぶくれ、火傷、病変、床ずれ、静脈性潰瘍、動脈の潰瘍、手術後の創傷、ギプスを付けた肢の中の浮腫、滲出液が出る表面又は深部の創傷、慢性的又は突発的な創傷を治療することができる。パッド、すなわち、手当て材１００は、手首固定具の一部として、又は補綴具の内壁として、歩行用固定具の内壁の通気及び投薬に用いられ、治療用の発泡材(foam)の替わりとなる。
【００３０】
パッド、すなわち、手当て材１００は、凸部、すなわち、バンプ１０２とともに設計されてもよい。パッド、すなわち、手当て材１００は、EVA、すなわち、医療用シリコーンからなる層１０４、又は医療用の滅菌されたシリコーンからなる層１０６で構成される。層１０４、１０６はまた、例えば、ポリビニルアルコール、キトサン、カルボキシメチルセルロース・ゼラチン、コラーゲン、ヒアルロン酸、又はポリウレタンのような１つ以上のナノファイバで形成されてもよい。層１０４、１０６は、単一片、又は独立して製造されてもよく、パッド、すなわち、手当て材１００の裏材としても知られている。凸部、すなわち、バンプ１０２はほぼ１ｃｍの等間隔で配置されもよい。一連の穴１０８は、凸部、すなわち、バンプ１０２の最も近くに設けられる。これらの穴１０８の直径は、例えば、０．５から１．０ｍｍの範囲である。
【００３１】
図１に示されるように、創傷１１０は、抗生物質、すなわち、アクアフォー（ＡｑｕａｆｏｒＴＭ）のような同等の殺菌剤１１２によって覆われてもよい。殺菌剤１１２の上に、高湿な環境を維持することを促すためのハイドロゲルシート１１４を当ててもよい。ハイドロゲルシート１１４は架橋ポリマーゲルである。いくつかのハイドロゲルシート１１４は接着境界で利用することができる。この場合、ハイドロゲルシート１１４を１ｃｍの等間隔で隔てられた細長い布きれとして当ててもよい。ハイドロゲルシート１１４を細長い布きれとして用いることによって、ハイドロゲルシート１１４で覆われていない部分の創傷１１０は、一連の穴１０８を介して外部から浸透する酸素を受取ることができる。
【００３２】
凸部、すなわち、バンプ１０２の下の空間により、酸素及び水分のための場所が残っている。本実施例の多数ある利点のうちの１つは、凸部、すなわち、バンプ１０２及び穴１０８の両方のおかげで、創傷１１０はより多くの水分及び酸素を有することができ、パッド、すなわち、手当て材１００がにおいのするバクテリアを含む嫌気性細菌に対処できることである。一連の穴１０８を介して創傷１１０に酸素を加えることによって、糖尿病の潰瘍のような創傷１１０は高気圧酸素治療による不利益を避けることができる。穴１０８を通る空気の流れは、外側カバー、すなわち、疎水性のシート１１６を当てることによって調整され得る。シート１１６は、医療用の発泡材、又はシリコーンで作られてもよい。
【００３３】
パッド、すなわち、手当て材１００の大きさはその用途に応じて調整することができ、例えば、全体的により大きく、又はより小さく作ることができる。パッド、すなわち、手当て材１００は、人間及び動物の両方の創傷を手当て及び治療する用途に適している。パッド、すなわち、手当て材１００はまた、浮腫を防止するために四肢の有酸素換気装置又は減圧のための固定ギプスとしても使用されてもよい。パッド、すなわち、手当て材１００はまた、多くの補綴用器具又はウォーキングシューズの中敷きとして使用されてもよい。最も重要なことは、それがどのような歩行用固定具の中敷きでも使用され、それ故、患者の足又は脚を取り囲む発泡材に取って替わるということである。パッド、すなわち、手当て材１００はまた、洗濯可能であってもよい。
【００３４】
図２は図１に示された創傷を治療及び手当てするためのパッド、すなわち、手当て材１００の他の実施例である。本実施例では、深創傷２００が示されている。創傷２００は傷が深いので、穴１０８は、傷の換気目的のためには重要ではない。実際、本実施例で示されるパッド、すなわち、手当て材１００は穴１０８を伴って、又は伴わずに用いられてもよい。凸部、すなわち、バンプ１０２は、創傷の大きさに応じて必要となる水分を提供するハイドロゲルペースト２０２で満たされてもよい。凸部、すなわち、バンプ１０２の間の領域にはハイドロゲルペースト２０２は不要である。凸部、すなわち、バンプ１０２の間の領域にハイドロゲルペースト２０２を用いないことで、一連の穴１０８によって、空気は、自由にパッド、すなわち、手当て材１００に入ることができ、そして、皮膚２０４及び創傷２００に確実に届く。このように、パッド、すなわち、手当て材１００によって、創傷２００は、各凸部、すなわちバンプ１０２の中に蓄えられたハイドロゲルペースト２０２を受入れることができ、そのため、治癒が促進され、及びパッド、すなわち、手当て材１００の交換頻度を減らすことができる。
【００３５】
パッド、すなわち、手当て材１００は医療用滅菌済みシリコーンで作られてもよい。パッド、すなわち、手当て材１００は、それぞれ硬さの異なる２層のシリコーンで作られてもよい。いくつかの実施例においては、より硬い層が上に位置する。ＥＶＡ素材からなる第２層もまた、パッド、すなわち、手当て材１００に加えられてもよい。ＥＶＡ素材はまた、万一患者が外部物体に接触したとしても、パッド、すなわち、手当て材１００が外圧に耐える助けとなり得る。さらに、綿からなる付着した細長いきれが、突出物、すなわち、バンプ１０２の間に用いられてもよい。これらの綿きれを用いることによって、医療専門家が混乱せずに容易に取り扱いつつ、より簡単に、パッド、すなわち、手当て材１００に薬を付着させることができる。
【００３６】
パッド、すなわち、手当て材１００の内で用いられる薬もまた一様でなくてよい。例えば、ハイドロコロイド・ペーストが浅い創傷にもちいられてもよく、又は綿からなるいくつもの層が創傷２００のような深い創傷に用いられてもよい。創傷のひどさに応じて異なる、又は更なる手当て材が凸部、すなわち、バンプ１０２に用いられてもよい。パッド、すなわち、手当て材１００はまた、各凸部、すなわち、バンプ１０２の中に異なる薬がある構成であってもよく、その薬とは、医療専門家に知られている現存する薬でも、まだ開発途中の薬でもよい。
【００３７】
図２に示されるパッド、すなわち、手当て材１００はまたそれぞれ医療用シリコーン及びＥＶＡで構成されたバッキング層１０４及び１０６を具える。また、層１０４及び１０６は、通気可能なＴＰＵフィルムで構成されてもよい。ＴＰＵフィルムによって創傷２００は空気中の水蒸気及び酸素を取込むことができるだけでなく、細菌及びバクテリアから創傷２００を護ることができる。この代替構造においては、穴１０８はパッド、すなわち、手当て材１００の外側からの空気の伝達にとって重要である。バッキング層１０４及び１０６構造に対して可能な他の素材には、例えば、小さな創傷に用いられるペレタン（ＰｅｌｌｅｔｈａｎｅＴＭ）、又はサラン（ＳａｒａｎＴＭ）が含まれる。さらに、本実施例における外側カバー、すなわち、シート１１６は、ガーゼ、筒状のストッキネット、又はサージラスト（ＳａｒｇｉｌａｓｔＴＭ）のような筒状のネットでもよい。カバー、すなわち、シート１１６は平坦な又は小さな領域を手当てする場合には、除かれてもよい。
【００３８】
図３は創傷３０２を治療及び手当てするためのパッド、すなわち、手当て材３００の別の実施例である。本実施例では、パッド、すなわち、手当て材３００は多数の密接した凸部３０４及び３０６を具える。例えば、凸部３０４の頂は、凸部３０６の頂と同じ大きさであるが、パッド、すなわち、手当て材３００の長さ方向に沿った形が反転しており、凹凸の交互パターンを造り出している。パッド、すなわち、手当て材３００の本実施例は、創傷３０２のような深創傷の手当て及び治療のために形成され、パッド、すなわち、手当て材３００は、創傷３０２の穴の中に容易に順応、すなわち、沈み込む。図１で示したパッド、すなわち、手当て材１００と同様に、このパッド、すなわち、手当て材３００は、１以上の層で作られてもよいし、薬は、凸部３０４及び３０６の中に予め内包されていてもよい。薬は、ペースト状でも、包帯状でも、網目状でもよい。凸部３０４及び３０６の中に薬が入っていない場合は、パッド、すなわち、手当て材３００は、凸、すなわち、凸部３０４及び３０６の周りに穴３０８を具えてもよい。
【００３９】
図４は図３に示された創傷を治療及び手当てするためのパッド、すなわち、手当て材３００の他の実施例である。この代替実施例では、パッド、すなわち、手当て材３００は、浅く、平坦な創傷４００を覆っている。浅く、平坦な創傷４００は多くの薬を必要とし、それ故、凸部３０４及び３０６のそれぞれは、適切な種類の薬で満たされてもよい。凸部３０４及び３０６の高さは一様でなくてよく、より多くの練薬には、より大きくて高い凸部が必要である。より大きな凸部によって、患者の皮膚４０２はより濃度の高い薬を受取ることができる。当該デザインのパッド、すなわち、手当て材３００を使用することによって、パッド、すなわち、手当て材３００は交換頻度が少なく済むため、費用を抑えることができる。当該デザインはまた、凸部の空洞内部の距離Zが薬のない場所の距離Ｎよりも大きいことから、大きな創傷領域を覆うという利点を有する。
【００４０】
図５は図１乃至４のパッド、すなわち、手当て材のいずれかを用いるために形成された凸部５００の実施例である。凸部５００は断面が示されている。本実施例では、凸部５００は内部空洞５０２、並びに内部空洞５０２の壁の周りを一周する一対の間隔をおいて設けられた環５０４、及び５０６を具える。環５０４、及び５０６のそれぞれは、例えば、凸部５００の頂に向かって延びるように、内部空洞５０２の壁に対して３０度の角度が付けられている。環５０４、及び５０６の機能については、以下に詳しく示す。凸部５００は一連の穴５０８を具えてもよいが、これは必須ではない。パッド、すなわち、手当て材を形成する下位層５１０は、吸収性素材であってもよい。
【００４１】
図６は図５の凸部５００の他の実施例である。本実施例では、パッド、すなわち、手当て材を形成する下位層５１０は凸部５００の内部空洞５０２の壁に沿って拡がっており、環５０４、及び５０６を覆っている。この場合もまた、下位層５１０は、吸収性素材で形成されてもよい。
【００４２】
図７は図５の凸部５００の内部を移動する蒸気及び液体の経路を示す。傷が癒える間に発生する蒸気には、蒸発する滲出液が含まれてもよく、発生する液体には、下位層５１０の吸収性素材に浸み込ませることができる創傷から出る液体分子が含まれていてもよい。仮に、創傷からの滲出液又は液体分子が、パッド、すなわち、手当て材の下位層５１０に過剰にたまったら、下位層５１０は、不要な有機物で満たされ、液体又は蒸気は、パッド、すなわち、手当て材の端部の周りに集まり、その結果、不要なにおいの発生、及び患者の皮膚の浸軟に至る。さらに、一旦多量の液体が下位層５１０にたまると、それは創傷に滲み戻る。この実施例に示される凸部５００は、過剰な滲出液が創傷に戻るのを避けるように設計されている。
【００４３】
凸部５００の間隔をおいて設けられた環５０４、及び５０６は、空洞、すなわち、創傷の表面からでる滲出液及び液体を取込む。創傷から環５０４及び５０６へ移動する滲出液及び液体の経路は、１乃至１０の番号が付けられた矢印で示される。進路は矢印１から始まり、矢印１０まで続き、本実施例では凸部５００の壁に対して略３０°の角度である環５０４及び５０６の上向き方向に基づき、環５０４及び５０６の内側に過剰な物質を堆積させる。過剰な物質が一旦環５０４及び５０６の内側に蓄えられると、それは創傷に戻ることはない。凸部５００、環５０４及び５０６は、シリコーン、ポリエチレン、ポリアミド、ポリエステル、EVA、ゲル、プラスタゾート、プラスティック、コルク、発泡材、又は他の低アレルギー性物質の単独構造でもよい。さらに、凸部５００、環５０４及び５０６は、異なる物質からなる別々の層であってもよい。
【００４４】
図７に示されるスタイルの凸部５００の使用は、凸部５００が創傷を保護するので、外圧がかかる創傷のパッド、手当て材、又はカバーにとって有益である。凸部５００は硬い外面及び軟らかい外面を有してよく、このことにより、外圧による凸部５００の圧縮が防がれ、患者が、圧力が凸部５００に加えられるという場面に直面した際には緩衝材のような役割を果たす。さらに、凸部５００の湾曲面上の表面積が大きいので、創傷用パッド、手当て材、又はカバーとともに凸部５００を使用することによって、平坦面スタイルの手当て材と比べてより多くの滲出液及び液体を捉えることができる。パッド、すなわち、手当て材が滲出液及び液体をさらに捉えられるとしたら、パッド、すなわち、手当て材は少しで足り、患者又は医療介護者の出費を抑えることができる。
【００４５】
図８は、図５の凸部５００と同様な凸部８００を組込む圧縮治療に使用する手当て材の実施例である。圧縮治療は、均一な圧力を手当て材に加えるため、例えば、下肢潰瘍をコントロールする、すなわち、患者の足の裏に圧力を加えるために用いられる。創傷を圧縮治療するために使用される従来の手当て材は、滲出液が手当て材を通過し、創傷の外側の健康な組織に作用し、浸軟及び不要なにおいをもたらす。図８の手当て材は、弾性トラップ８０４によって、潰瘍のような創傷８０２に圧力を加えるために用いられ得る。
【００４６】
図８の凸部８００は、図５乃至７の凸部５００と同様であり、その中に滲出液を集め、滲出液が創傷８０２に逆流しないようにする間隔をおいて設けられた環８０６を具える。本実施例において、環８０６は凸部８００の壁から１５°の角度で延びている。凸部８００及び環８０６は、外圧の影響によりつぶれないよう、及び平坦な手当て材で可能な吸収性素材の大きな層をもたらさないようにデザインされる。圧縮用の手当て材に沿う複数の凸部８００の形状は、緩衝材として機能し、創傷８０２を圧縮から護る。
【００４７】
図９は図８の手当て材の凸部８００の間隔をおいて設けられた環８０６に沿う浸出液９００の堆積を示す。浸出液９００は異なる割合でたまっていき、その割合は、滲出液９００の成分の種類、手当て材を使用する患者の健康、及び手当て材等を通過するガスの交換メカニズムによる。環８０６の含有物は他の手当て材で可能となるよりも多量の滲出液９００を集め、滲出液が漏れるリスクを最小限にする。さらに、創傷８０２から出る滲出液９００は吸収性のある層をふくれさせ、これにより、手当て材は不要なバクテリア及びにおいのキャリアとなる。しかしながら、手当て材の裏材が多孔性であるため、それは本来抗菌性で、湿気及び空気を通すことができ、創傷８０２からの滲出液９００を一旦集めて蒸発させる。
【００４８】
図８及び９で示される手当て材は、薬とともに、又は薬を伴わずに用いられてよく、薬は、患者の創傷に最も近い側上の手当て材に沿って連続的に広がっていても、非連続的に広がっていてもよい。手当て材の少なくともいくつかの層はコバン（ＣｏｂａｎＴＭ）であってもよく、手当て材を患者の皮膚に押付けておくと同時に、手当て材の可撓性を維持する。手当て材の形状は、四肢の覆う範囲が大部分は均一な直径を有することができるため、筒状、又は長方形、正方形、楕円、円、凹面、又は所定の創傷に一致するように形成された如何なる他の形状でもよい。手当て材はまた、接着剤を担う裏材とともに作られてもよく、これにより、医療専門家は、創傷に手当て材を接着させることができる。接着剤は、二つの小さなタブ・スタイルの領域を除いては、裏材の周囲の長さの全長又は大部分に沿って拡がっていてもよい。非接着のタブ・スタイル領域は皮膚にダメージを与えることなく、例えば、医療提供者が手当て材を取除くために、手当て材の角を掘ろうと試みた際に、医療提供者の爪によって起こり得る皮膚へのダメージを与えることなく、手当て材を取り除くために使用されてよい。
【００４９】
図１０は多層パッド、すなわち、手当て材とともに用いられるために形成された凸部１０００の実施例である。凸部１０００は創傷１００２から滲み出る過剰な滲出液を扱うためにデザインされている。凸部１０００を具えるパッド、すなわち、手当て材は第１外層１００４及び第２外層１００６を有し、これにより、滲出液が、第１外層１００４の下、並びに第１外層１００４及び第２外層１００６の間の両方に集められ得る。第１外層１００４及び第２外層１００６は、通常滲出液に対して非浸透性の素材から作られる。凸部１０００は、前述した実施例で示された凸部と同様な方法で、凸部１０００の内壁に対してある角度で延びる間隔をおいて設けられた環１００８を具える。しかしながら、第１外層１００４によって形成される壁の接合点では、開口部が存在するため、滲出液は、第１外層１００４の中の凹部だけでなく、第１外層１００４及び第２外層１００６の間にも流れる。
【００５０】
滲出液はまず、第１外層１００４の下にある吸収層１０１１に創傷１００２から直接吸収される。凸部１０００に引き入れられた浸出液は、吸収路１０１０によって示されるように、さらに第１外層１００４及び第２外層１００６の間にある貯留空間に引き入れられる。凸部１０００の非圧縮性、及び第１外層１００４及び第２外層１００６の間にあるもう一つの吸収層１０１２の存在により、この滲出液が創傷１００２に排出、すなわち、漏れ戻ることはない。滲出液の吸収の動向は、このように吸収層１０１１で始まり、環１００８の端に沿って、環１００８の根本にある穴を通って、吸収層１０１２に吸収され、凸部１０００の中を流れる。凸部１０００は穴１０１４を具え、第２外層１００６もまた穴１０１６を具える。これにより、滲出液は凸部１０００及び吸収層１０１２の中に集められ、水分がなくなる。
【００５１】
従来の手当て材、すなわち、パッドもまた滲出液を集めるために吸収性素材からなる複数の層を用いてもよいが、従来の手当て材は圧縮されると、滲出液が創傷に排出、すなわち、漏れ戻る危険がある。凸部１０００の形状及び圧縮不可能な性質がこの問題を軽減する。間隔をおいて設けられた環１００８に沿う開口部によって滲出液は効果的に収集されるため、パッド、すなわち、手当て材は圧縮されても、創傷１００２に滲出液を戻すことなく、中層吸収層１０１２に滲出液を移動させることができる。
【００５２】
図１１は図１０の凸部１０００を組込む多層手当て材の実施例である。吸収層１０１１、第１外層１００４、間隔をおいて設けられた環１００８、吸収層１０１２、及び第２外層１００６は全て図１０で示したものとしての機能を果たす。図１１では手当て材の組合わせ及び当て方が説明されている。接合部１１００又は他の接合部によって、第１外層１００４は第２外層１００６に取付けられ、吸収層１０１２に滲出液を閉じ込めておく。接着層１１０２もまた患者の皮膚に手当て材を貼りつけるために第２外層１００６に取付けられる。前述した手当て材の場合と同様に、多層手当て材の寸法は創傷１００２の大きさに合わせて調整されてよく、接着層１１０２は、手当て材の大きさに合わせて調整される。
【００５３】
図１２は図１０の凸部１０００を組込む包まれた多層手当て材の実施例である。本実施例では、シース１２００は、手当て材が潰瘍圧縮治療に相応しいように、例えば、チュービネット、すなわち、伸縮性のある筒状のガーゼであってよい。シース１２００の中の凸部１０００の種々のセクションは独立した区画を形成するためにスティッチ１２０２を用いて分離されてもよい。チュービネット、すなわち、筒状のガーゼのセクションの中で綴じられた１つの凸部１０００しか本実施例では示されていないが、完全な手当て材を構成するために、チュービネット、すなわち、筒状のガーゼの最も近いセクションの中に、さらなる凸部１０００が綴じられてもよい。シース１２００は、例えば、コバン（ＣｏｂａｎＴＭ）の圧縮層のような、圧縮層１２０４を用いることで圧縮される。任意の第２圧縮層１２０５は圧縮治療のために用いられてもよい。圧縮層１２０４、及び１２０５は、例えば、或る種のゴム又は綿のような通気性素材で作られてもよいし、接着、溶接、裁縫、熱形成、又はこれら若しくは他の技術の組合わせを用いることによって一緒に貼り合わせられてもよい。
【００５４】
吸収層１０１１、第１外層１００４、間隔をおいて設けられた環１００８、吸収層１０１２、第２外層１００６、及び穴１０１４は図１０及び１１に示されたものと同様な方法で機能し得る。しかしながら、手当て材の周囲の長さは図１１に示されたものと異なる。図１１に示された接着層１１０２の替わりに、広がったらせん状の端を有する層１２０６が第１外層１００４及び第２外層１００６に取付けられてもよい。吸収層１０１１はらせん状の端を有する層１２０６の全長に沿って拡がっており、これにより包まれた手当て材の端で集められた滲出液の量が増える。滲出液が一旦らせん状の端を有する層に閉じ込められると、滲出液が創傷部に戻るためには重力に逆らう必要があるため、創傷部に戻ることはもはやできない。らせん状の端を有する層１２０６はまた、一旦滲出液を吸収すると、包まれた多層手当て材の凸部１０００部分よりも重くなる。さらに、吸収層１０１１は、創傷から滲出液又は液体を遠ざけるために役に立ち、著しい横からの吐き出しを避ける粉末状の高吸収性ポリマー（ＳＡＰ）が混ぜられた綿からできていてもよい。吸収層１０１１は、低アレルギー性の基材で織られた又は織られていない発泡材からできていてもよい。
【００５５】
図１３Ａ及び１３Ｂは図５、６及び１０の凸部と同様な凸部のセグメント１３００を組込むラップ・スタイル手当て材の実施例を示す。本実施例では、凸部の複数セグメント１３００はラップ・スタイル手当て材の第１表面１３０２に沿って、例えば、腕、脚、手首、及び足首のような体のパーツを包むのに適する、例えば、伸縮性のあるガーゼ物質に沿って分布する。ラップ・スタイル手当て材は、手当て材のほぼ半分の幅が体のパーツの周りの各回転とともに重ねられると効果的な圧縮がなされるように形成されるので、本実施例の凸部のセグメント１３００は第１表面１３０２の半分の幅に沿って取付けられる。ラップ・スタイル手当て材の第２表面１３０４は他の素材、例えば、適切な蒸発を確保するための通気性綿であってよい。
【００５６】
図１３Ａは患者に当てる前のまっすぐな形状のラップ・スタイル手当て材を示す。図１３Ｂは、医療提供者が患者にラップ・スタイル手当て材を当て始める際に経験上あり得る仕方で曲がるラップ・スタイル手当て材の可撓性を示す。凸部のセグメント１３００の間の間隔は、様々な形状の体のパーツにあてがわれるラップ・スタイル手当て材に必要な可撓性を可能にすると同時に、治療すべき種々のタイプの創傷が与えられたとしても、液体又は滲出液の適切な吸収及び効果的な圧縮が可能であるよう構成されるべきである。
【００５７】
図１４A乃至Ｆはラップ・スタイル手当て材を肢１４０２に当てる一連の状態が示されており、手当て材の層には、図５、６及び１０の凸部と同様な凸部１４００のセグメントが具えられている。図１４Ａは、何も身に付けていない肢であり、本実施例では、患者の脚と足である。創傷は見られないが、創傷が存在し得ると理解し得る。図１４Ｂはアンダー・ラップ１４０４、例えば、綿が示されている。図１４Ｃには筒状ラップ１４０６、例えば、アンダー・ラップ１４０４の上から当てるストッキネットが示されている。図１４Ｄは、本明細書の先の実施例で詳細に示した凸部１４００を具えるラップ・スタイル手当て材を当てている様子を示す。更なる支え無しに凸部１４００の上を患者が歩くことによって生じる圧縮により凸部１４００はつぶれるため、ラップ・スタイル手当て材は足ではなく、脚に当てられる。図１４Ｅは凸部１４００のラップ・スタイル手当て材の上に圧縮バンド１４０８を重ねた様子を示す。図１４Ｆは例えば、コバン（ＣＯＢＡＭＴＭ）層のような、第２の圧縮バンド１４１０を重ねた様子を示す。完全なラップ・スタイル手当て材を適切に当てることによって、例えば、潰瘍のような傷の効果的な圧縮治療が可能となる。
【００５８】
図１５Ａ乃至Ｅは図１２に示された多層手当て材のような多層手当て材の一連の構造が示されている。図１５Ａには、例えば、綿からなる筒状チュービネット１５００が示されており、これは、多層手当て材の外装として用いられる。チュービネット１５００は伸縮可能である。図１５Ｂは低アレルギー性素材１５０２からなる有孔層を示す。図１５Ｃは図１２に示された凸部スタイルにおける複数の凸部１５０６で形成される、区切られた、すなわち、キルト風多層手当て材１５０４を示す。図１５Ｄは、図１５Ａ乃至Ｃの３つの構成要素がどのように組立てられるかを、例えば、ポケット・サンドウィッチのスタイルで示す。低アレルギー性素材１５０２は多層創傷手当て材１５０４の上に設けられ、これらの構成要素の組合わせがチュービネット１５００に挿入されてもよい。図１５Ｅは複数のチュービネット１５００が結合された構造を示し、それぞれが低アレルギー性素材１５０２及び多層創傷手当て材１５０４の一定の長さ及び幅を具える。それぞれの独立した組立体は、例えば、スティッチ１５０８の線を用いて連結させてもよい。図１５Ｅに示される多層手当て材は、可撓性が増すので、例えば、図１４Ａ乃至Ｆに示された肢のような、足を覆うために用いられてもよい。
【００５９】
図１６Ａ乃至Ｄは、歩行用ブーツ、すなわち、固定具に用いられるために形成された図１２及び１５Ａ乃至Ｅに示されたものと同様な、歩行用ブーツ、すなわち、固定具に用いられるために形成された多層手当て材を示す。図１６Ａは２つの部品で構成された混成ブーツ型手当て材を示し、１つの部品は患者の脚と足の下側の位置用で、もう１つの部品は患者の脚と足の上側の位置用の部品である。ブーツ型は、筒状の連結されたセクション、囲まれた多層手当て材、縫合、溶接、接着によって形成された接続、又は他の如何なる方法によっても形成され得る。図１６Ｂは、凸部の独立したセクションを含む連結されたチュービネットで形成されたブーツ型手当て材の底の内側の上面図を示す。図１６Ｃは患者の足に当てられたブーツ型手当て材の正面視断面図を示す。図１６Ｂの底の内側は足の下に設けられ、圧縮スタイルの手当て材は足の上に設けられ、両方の手当て材ともに、前述した実施例に示された凸部を具える。図１６Ｄは患者の下肢全体に当てられたブーツ型手当て材の側面視断面図を示し、種々の層は、例えば、潰瘍性創傷のような創傷に圧縮治療を施すのと同じ方法で包まれる。
【００６０】
図１７は図１３Ａ乃至Ｂ、及び図１４Ａ乃至Ｆの包むスタイルの手当て材とともに用いられるために形成された靴下スタイルの手当て材を示す。包むスタイルの手当て材が一旦部分的に当てられると、靴下スタイルの手当て材は、例えば、靴下をはくのと同様な方法で、患者の足に引き上げることができる。例えば、歩行用ギプスを用いて患者は足に圧力をかけることができるが、包むスタイル及び靴下スタイルの手当て材は、このように、患者の下肢に圧縮治療を施すために組合わせて用いられてもよい。
【００６１】
靴下スタイルの手当て材は、例えば、サージラスト（ＳｕｒｇｉｌａｓｔＴＭ）素材からなる伸縮性層１７００を具えてもよい。伸縮性層１７００の可撓性によって手当て材を足のような一定の動きをする体の領域に当てることができる。例えば、上記実施例で示された凸部に類似するような間隔をおいて配置された凸部１７０２は、創傷手当て及び圧縮治療に使用するため、伸縮性層１７００の下で患者の足に近接して設けられる。また、支えとなるスペーサ１７０４は間隔をおいて配置された凸部１７０２の間の伸縮性層１７００に結合され得る。スペーサ１７０４は、各スペーサの半部が伸縮性層１７００を介して残り半分と結合している状態の球形であってもよい。患者が歩行する際の力によって凸部１７０２が押しつぶされないように、スペーサ１７０４は、靴下スタイルの手当て材をはいて歩行する患者を支えるのに十分な強度の、例えば、金属合金又はコルクのような丈夫な素材で形成されてもよい。
【００６２】
靴下スタイルの手当て材は上述した通り患者の脚を包むスタイルの手当て材と組合わせて用いられても、患者が足に傷を負っている場合は歩行用ギプスの下で用いられても、義肢とともに用いる際には力を受けた創傷を治療するために補綴具とともに用いられても、又は圧縮治療のために、例えばコバン（ＣｏｂａｎＴＭ）のような弾力のあるラップの下で用いられてもよい。前述した実施例と同様に、綿又はストッキネットからなる層は、靴下スタイルの手当て材を引き上げる前に創傷に当てられてもよい。
【００６３】
本発明は特定の実施例との組合わせで説明されたが、本発明は、開示された実施例にのみ限定されるものではなく、反対に、添付の請求項の趣旨及び範囲に含まれる様々な改良及び均等な構成に及ぶものであることを理解されたい。また、請求項は、法の下に許容される全ての改変及び均等な構造を含むように、最も広く解釈されるべきである。
【図１】
2016537047.tif 000003
【図２】
2016537047.tif 000004
【図３】
2016537047.tif 000005
【図４】
2016537047.tif 000006
【図５】
2016537047.tif 000007
【図６】
2016537047.tif 000008
【図７】
2016537047.tif 000009
【図８】
2016537047.tif 000010
【図９】
2016537047.tif 000011
【図１０】
2016537047.tif 000012
【図１１】
2016537047.tif 000013
【図１２】
2016537047.tif 000014
【図１３Ａ】
2016537047.tif 000015
【図１３Ｂ】
2016537047.tif 000016
【図１４Ａ】
2016537047.tif 000017
【図１４Ｂ】
2016537047.tif 000018
【図１４Ｃ】
2016537047.tif 000019
【図１４Ｄ】
2016537047.tif 000020
【図１４Ｅ】
2016537047.tif 000021
【図１４Ｆ】
2016537047.tif 000022
【図１５Ａ】
2016537047.tif 000023
【図１５Ｂ】
2016537047.tif 000024
【図１５Ｃ】
2016537047.tif 000025
【図１５Ｄ】
2016537047.tif 000026
【図１５Ｅ】
2016537047.tif 000027
【図１６Ａ】
2016537047.tif 000028
【図１６Ｂ】
2016537047.tif 000029
【図１６Ｃ】
2016537047.tif 000030
【図１６Ｄ】
2016537047.tif 000031
【図１７】
2016537047.tif 000032
【国際調査報告】
2016537047.tif 000033
2016537047.tif 000034
2016537047.tif 000035